(57)【要約】      （修正有）【課題】着用時の負担を軽減し、重すぎず、デザイン性にも優れた避難弱者用の放射線防護被服を提供する。【解決手段】表地層８と裏地層１４との間に、放射線遮蔽シート３０がｎ枚（ｎは１以上の自然数）積層されてなる放射線遮蔽シート構造物３１が挟まれ、表地層８、裏地層１４および放射線遮蔽シート構造物３１の各々を貫通する糸４ａ、４ｂで縫い合わされてなり、放射線遮蔽シート３０は、基材１０と、基材の表面を覆うように設けられ、かつ金属粉２２が配合されたコーティング膜２０と、を備えると共に、凹凸をもつ立体的な断面形状を有する。【選択図】図５
0003206558.tif 000002
【実用新案登録請求の範囲】
【請求項１】
表地層と裏地層との間に放射線遮蔽シート構造物が挟まれると共に、前記表地層と前記放射線遮蔽シート構造物と前記裏地層とを貫通して進行する糸で縫い合わされてなり、
前記放射線遮蔽シート構造物は、放射線遮蔽シートがｎ枚（ｎは１以上の自然数）積層されて構成され、
前記放射線遮蔽シートは、
基材と、
前記基材の表面を覆うように設けられ、かつ金属粉が配合されてなる、放射線の遮蔽効果をもつコーティング膜と、
を有し、かつその断面形状が、凹凸を有する立体的な断面形状である放射線防護被服。
【請求項２】
請求項１に記載の放射線防護被服であって、
前記放射線遮蔽シートには、縮んだ、熱収縮性の糸が縫い込まれており、または、縮んだ、パターニングされた熱収縮性のフィルムが貼付されており、かつ全体的に縮緬状の凹凸が形成されている放射線防護被服。
【請求項３】
請求項１に記載の放射線防護被服であって、
前記放射線遮蔽シートは、直線状に延びる山ひだと谷ひだが交互に繰り返されて波形の断面形状を有し、前記波形は、前記山ひだの頂部および前記谷ひだの頂部に相当する先端部分が丸みを帯びた波形であり、
前記表地層、前記放射線遮蔽構造物および前記裏地層によって段ボール状の構造が形成されてなる放射線防護被服。
【請求項４】
請求項１〜請求項３のいずれかに記載の放射線防護被服であって、
前記表地層と前記放射線遮蔽シート構造物と前記裏地層とを貫通して進行する糸は、光を反射する光反射糸である放射線防護被服。
【請求項５】
請求項１〜請求項４のいずれかに記載の放射線防護被服であって、
前記基材は、編物、織物、不織布、紙のうちのいずれかで構成される布帛、またはフィルム、またはシートであり、
前記金属粉は、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉であり、
前記コーティング膜の主材は、樹脂膜、または、シロキサン結合をもつ、あるいはアルコキシ基をもつシラン系化合物膜である放射線防護被服。
【請求項６】
請求項１〜請求項４のいずれかに記載の放射線防護被服であって、
前記基材は、単位面積当たりの重さが１００ｇ／ｍ２以下、かつ厚みが０．１ｍｍ以下の布帛であり、
前記コーティング膜は、主材が、樹脂膜、または、シロキサン結合をもつ、あるいはアルコキシ基をもつシラン系化合物膜であると共に、粒径が３μｍ〜１０μｍである、少なくとも１種の単体金属、またはその合金、またはその化合物、または前記単体金属を他の材料で被覆したものの粉が、単位面積あたりの重さが８００ｇ〜１１００ｇ／ｍ２となるように配合されており、かつ、厚みが０．４ｍｍ以下であり、
前記ｎは４以下であり、
前記放射線遮蔽シート構造物は、ガンマ線のコンプトン散乱線を遮蔽する効果を有する放射線防護被服。
【請求項７】
請求項１〜請求項４のいずれかに記載の放射線防護被服であって、
前記基材は布帛であり、前記金属粉は金属タングステン粉であり、前記コーティング膜の主材は、下記のような立体的構造をもつ［化合物１］、
【化１】
0003206558.tif 000006
または、下記のような構造をもつ［化合物２］、
【化２】
0003206558.tif 000007
または、下記のような構造をもつ［化合物３］、
【化３】
0003206558.tif 000008
のポリマーである放射線防護被服。
【考案の詳細な説明】
【技術分野】
【０００１】
本考案は、原子力発電所が立地する地域の住民や避難弱者（幼児、子ども、婦人、老齢者、要介護者等）が着用可能な放射線防護被服に関する。
【背景技術】
【０００２】
原子力発電所の緊急時には、地域住民や避難弱者（幼児、子ども、婦人、老齢者、要介護者等）は、すみやかに遠くへ避難して放射線による被ばくから身を護ることが求められるが、例えば、地震や津波等が重なってトンネルや斜面の崩落等が生じ、道路の通行止めが発生した場合等には、各自治体の避難計画どおりの退避ができない場合があり得る。
【０００３】
このような場合に、地域住民や避難弱者が、その場にとどまりながら放射線による被ばくを低減できる対策を取ることができるのであれば、現状の避難計画（逃げるだけの避難計画）を根本的に見直すことが可能となる。
【０００４】
より進歩した避難計画の実現のためには、地域住民および避難弱者を対象とした放射線防護被服の開発が重要である。実用に耐える放射線防護被服を実現することができれば、避難が遅れざるを得ない状況下であっても、地域住民や避難弱者が防護服を着用したりシート状の被服を身にまとったりして自宅や簡易放射線防護所に留まる等の措置を採ることができる。
【０００５】
従来の放射線防護被服は、緊急状態に陥っている原子力発電施設の作業員等が使用することを主目的に製造されており、放射線遮蔽率の高い鉛を用いているのが通常である。しかし、鉛を用いた放射線防護被服は、通常の被服と比べて重量が重く、体力面で劣る子どもや女性、老人等は着用すること自体が困難である。
【０００６】
鉛に代えて、タングステンを用いる技術については、例えば、特許文献１〜３に記載されている。
【先行技術文献】
【特許文献】
【０００７】
【特許文献１】特開２０１３−４４７３７号公報
【特許文献２】特開２０１５−７２１５９号公報
【特許文献３】実用新案登録第３１８４２２０号公報
【考案の概要】
【考案が解決しようとする課題】
【０００８】
原子力発電所の緊急時において、地域住民や避難弱者が強烈な放射線にさらされる事態は、現実的には、皆無とはいえないまでも少ないと考えられ、むしろ、スカイシャイン線（地上の放射線源から上方に放出された放射線のうち、大気により散乱され地上に戻ってくるもの）のような、散乱された放射線（具体的には、ガンマ線のコンプトン散乱線等）を長時間あびることによる健康悪化が懸念される。
【０００９】
放射線の散乱線から地域住民や避難弱者を効果的に保護する、着用が容易な放射線防護被服の開発は急務といえる。このような放射線防護被服は、ある程度の伸縮性があり、重すぎず、デザイン性にも優れた、着る者に優しいものであることが望ましい。
【００１０】
上記の各特許文献に記載の技術は、一案ではあるが、実用的な避難弱者用の放射線防護被服を実現する段階には至っていない。
【００１１】
本考案の目的の一つは、実用的な避難弱者用の放射線防護被服を実現することにある。
【課題を解決するための手段】
【００１２】
（１）本考案の放射線防護被服の一態様では、表地層と裏地層との間に放射線遮蔽シート構造物が挟まれると共に、前記表地層と前記放射線遮蔽シート構造物と前記裏地層とを貫通して進行する糸で縫い合わされてなり、前記放射線遮蔽シート構造物は、放射線遮蔽シートがｎ枚（ｎは１以上の自然数）積層されて構成され、前記放射線遮蔽シートは、基材と、前記基材の表面を覆うように設けられ、かつ金属粉が配合されてなる、放射線の遮蔽効果をもつコーティング膜と、を有し、かつその断面形状が、凹凸を有する立体的な断面形状である。
【００１３】
表地層と裏地層との間に、凹凸を有する立体的な断面形状をもつ放射線遮蔽シート構造物を挟み込んで、各部材を貫通して進行する糸で縫製してなる放射線防護被服である。
【００１４】
放射線遮蔽シート構造物は、１枚以上の放射線遮蔽シートを重ね合わせて（積層して）構成したものであり、積層数が増えるほど放射線遮蔽効果が向上し、一方で重量も増えることから、放射線遮蔽効果と重量との兼ね合いを考慮して積層数が決定される。
【００１５】
放射線遮蔽シート構造物を構成する基本単位である１枚の放射線遮蔽シートは、基材と、基材の表面を覆うように設けられ、かつ金属粉を含有するコーティング膜と、を備える薄型かつ軽量の放射線遮蔽材である。
【００１６】
放射線遮蔽シート構造物が凹凸を有する立体的断面形状をもつことから、斜めから到来する放射線は複数回、放射線遮蔽構造物を通過することになり、平らな形状である場合に比べて、放射線遮蔽効果が向上する。また、放射線遮蔽シートは薄いことから、凹凸を有する立体的断面形状は、押し付けや引っ張り等の外力が働くと、これを吸収するべく変形することができ、衣料のごわごわ感が低減され、また、安定した構造強度も得られ、災害時等に生じがちな人体への衝撃、強い圧迫等から人体を効果的に保護する効果も期待できる。
【００１７】
放射線遮蔽シートに含有される金属粉の粒径や総量を選ぶことで、裁縫に用いられる通常の糸で、各部材を貫通して縫製することができ、糸で縫製した放射線防護被服（防護布、防護衣料、防護服、防護手袋、防護マフラー等）が実現される。例えば、表地層、裏地層として比較的厚手の生地を選ぶと、平らな２枚の生地に、凹凸状の断面形状をもつ放射線遮蔽シート構造物が密着して挟まれることになり、糸による縫製によって放射線遮蔽シート構造物の動きが規制されて、形態が安定した被服が実現される。構造的な安定性に優れ、それでいて上記のように立体的断面の変形で外力を吸収することもでき、安心して、違和感少なく身にまとうことが可能な被服となる。
【００１８】
（２）本考案の放射線防護被服の他の態様では、前記放射線遮蔽シートには、縮んだ、熱収縮性の糸が縫い込まれており、または、縮んだ、パターニングされた熱収縮性のフィルムが貼付されており、かつ全体的に縮緬状の凹凸が形成されている。
【００１９】
熱収縮性の糸やフィルムを使用して放射線遮蔽シートに縮れを生じさせ、表面に縮緬状の凹凸が形成された構造（ちりめん加工された構造）としたものである。表面に、独特の縮緬模様が生じるため、あらゆる方向に伸縮する可能性が担保され、衣料のごわごわ感をより低減することができる。また、上記の（１）で述べた効果も得られる。
【００２０】
（３）本考案の放射線防護被服の他の態様では、前記放射線遮蔽シートは、直線状に延びる山ひだと谷ひだが交互に繰り返されて波形の断面形状を有し、前記波形は、前記山ひだの頂部および前記谷ひだの頂部に相当する先端部分が丸みを帯びた波形であり、前記表地層、前記放射線遮蔽構造物および前記裏地層によって段ボール状の構造が形成されてなる。
【００２１】
本態様では、放射線遮蔽シートとして、山と谷が交互に繰り返される波形（波状）の断面形状をもち、かつ波形の先端が丸みが帯びているものを採用する。例えば、表地層、裏地層として比較的厚手の生地を選ぶと、平らな２枚の生地に、先端が丸みを帯びた波形（波状）の断面形状をもつ放射線遮蔽シート構造物が密着して挟まれることになる。この構造は、平らな２枚の厚紙（ライナー）で先端が丸い波形の断面をもつ中芯紙を挟んだ段ボールの構造とよく似ており（つまり、段ボール状の構造が形成されてなり）、構造上の安定性に優れ、型崩れしににくく、圧迫等を吸収する効果も高い。また、上記（１）に記載した効果も得られる。また、放射線遮蔽シートの立体的断面の先端が丸みを帯びていることから、表地層、裏地層を傷めることもない。
【００２２】
（４）本考案の放射線防護被服の他の態様では、前記表地層と前記放射線遮蔽シート構造物と前記裏地層とを貫通して進行する糸は、光を反射する光反射糸である。
【００２３】
放射線防護被服の表面に露出する糸は、光を反射することから、夜間における視認性が向上する。例えば、災害時において、夜間に住民が移動する場合に、放射線防護被服を身に着けていれば、交通事故が生じるおそれを低減することができる。
【００２４】
（５）本考案の放射線防護被服の他の態様では、前記基材は、編物、織物、不織布、紙のうちのいずれかで構成される布帛、またはフィルム、またはシートであり、前記金属粉は、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉であり、前記コーティング膜の主材は、樹脂膜、または、シロキサン結合をもつ、あるいはアルコキシ基をもつシラン系化合物膜である。
【００２５】
基材の材料を選ぶことによって、例えば、放射線遮蔽シートの厚み、柔軟性、コーティング膜との密着性等を調整することができる。また、金属粉の材料を選ぶことによって、放射線遮蔽効果や重量等を調整することができる。また、コーティング膜の主材を選ぶことによって、コーティング膜に撥水性を付与したり、基材との密着性を調整したり、金属粉の均一な分散を実現させたりすることができる。なお、コーティング膜の主材としての樹脂膜の「樹脂」には、天然樹脂、合成樹脂の双方が含まれるが、特に、可塑性をもつ合成樹脂が望ましい。
【００２６】
（６）本考案の放射線防護被服の他の態様では、前記基材は、単位面積当たりの重さが１００ｇ／ｍ２以下、かつ厚みが０．１ｍｍ以下の布帛であり、前記コーティング膜は、主材が、樹脂膜、または、シロキサン結合をもつ、あるいはアルコキシ基をもつシラン系化合物膜であると共に、粒径が３μｍ〜１０μｍである、少なくとも１種の単体金属、またはその合金、またはその化合物、または前記単体金属を他の材料で被覆したものの粉が、単位面積あたりの重さが８００ｇ〜１１００ｇ／ｍ２となるように配合されており、かつ、厚みが０．４ｍｍ以下であり、前記ｎは４以下であり、前記放射線遮蔽シート構造物は、ガンマ線のコンプトン散乱線を遮蔽する効果を有する。
【００２７】
これによって、ガンマ線のコンプトン散乱線を効果的に遮蔽する効果をもつ、避難弱者に優しい放射線防護被服が実現される。例えば、放射線防護被服が、フード付き、かつ喉、胸、腹、局部を覆う幼児用の服である場合、総重量を１ｋｇ〜２．３ｋｇの範囲に抑えることができ、放射線防護被服が、フード付き、かつ喉、胸、腹、局部を覆う小学生用の服である場合、総重量を２ｋｇ〜３ｋｇの範囲に抑えることができ、また、放射線防護被服が、フード付き、かつ喉、胸、腹、局部を覆う大人用の服である場合、総重量を２．６ｋｇ〜４．９ｋｇの範囲に抑えることができ、バリエーションに富んだ放射線防護被服を実現することができる。
【００２８】
（７）本考案の放射線防護被服の他の態様では、前記基材は布帛であり、前記金属粉は金属タングステン粉であり、前記コーティング膜の主材は、下記のような立体的構造をもつ［化合物１］、
【化１】
0003206558.tif 000003
または、下記のような構造をもつ［化合物２］、
【化２】
0003206558.tif 000004
または、下記のような構造をもつ［化合物３］、
【化３】
0003206558.tif 000005
のポリマーである。
【００２９】
上記の［化合物１］〜［化合物３］は、構造に自由度が与えられるため、しなやかになり、また、表面にＲを形成することで撥水性を発揮させることができる。よって、放射線遮蔽シートに撥水性（防水性）を付与することができ、雨水等に強い被服を実現することができる。また、立体的な構造をもつ分子の間隙に金属の微粒子が嵌り込むことによって均一に分散し、放射線遮蔽効果が向上する。
【考案の効果】
【００３０】
本考案により、放射線の散乱線を長時間あびることによる健康被害から地域住民や避難弱者を効果的に保護することが可能な、実用的な避難弱者用の放射線防護被服を実現することができる。
【図面の簡単な説明】
【００３１】
【図１】（Ａ）は、立体的断面を形成する前の放射線遮蔽シートを示す図、（Ｂ）は、プリーツ型の放射線遮蔽シートの立体的断面形状を示す図、（Ｃ）は、（Ｂ）に示される放射線遮蔽シートの、立体的断面による放射線遮蔽効果を模式的に示す図である。
【図２】図１（Ｂ）に示される放射線遮蔽シート（プリーツ）の斜視図である。
【図３】（Ａ）、（Ｂ）は、放射線遮蔽シートの積層（重ね合わせ）の態様を示す図である。
【図４】スモッキング型の放射線遮蔽シートの凹凸状の立体断面および表面に形成される模様（縮緬模様）の例を示す図である。
【図５】（Ａ）は、放射線遮蔽被服（プリーツ型の放射線遮蔽シートを採用したもの）の縫製後の状態を示す図、（Ｂ）は、放射線遮蔽被服（スモッキング型の放射線遮蔽シートを採用したもの）の縫製後の状態を示す図である。
【図６】（Ａ）〜（Ｃ）は、コーティング膜の主材である、シロキサン結合をもつ、あるいはアルコキシ基をもつシラン系化合物膜の構造例を示す図である。
【図７】布状の放射線防護被服をガレージに適用して、放射線防護シェルターを構築した例を示す図である。
【図８】放射線防護被服の一態様を示す図である。
【図９】放射線防護被服の他の態様を示す図である。
【図１０】放射線遮蔽シート（プリーツまたはスモッキング）の、ガンマ線の散乱線に対する遮蔽率の測定結果（線量計で測定）の一例を示す図である。
【図１１】放射線遮蔽シート（プリーツまたはスモッキング）の、ガンマ線の直接線に対する遮蔽率の測定結果（線量計で測定）の一例を示す図である。
【図１２】放射線遮蔽シート（スモッキング）の、放射線（アルファ線、ベータ線、ガンマ線、中性子線を含む）の遮蔽率の測定結果（ＮａＩシンチレーションスペクトルメータで測定）の一例を示す図である。
【図１３】直接線および散乱線の測定に用いられた、線源と測定器との位置関係を示す図である。
【図１４】（Ａ）、（Ｂ）はそれぞれ、放射線の直接線、散乱線（コンプトン散乱線）について説明するための図である。
【図１５】福島県の浪江町におけるフィールド試験で得られた、ガンマ線のエネルギースペクトルの一例を示す図である。
【考案を実施するための形態】
【００３２】
実施形態の説明をする前に、放射線の直接線と散乱線（コンプトン散乱線）について、図１４（Ａ）、（Ｂ）を参照して説明する。図１４（Ａ）に示すように、ガンマ線の線源５００と検出器５２０とを所定距離をおいて配置し、散乱が少ない環境下（例えば、放射線測定器の校正施設内）で、ガンマ線ＲＤを検出する場合、ガンマ線のエネルギースペクトルをみると、５００ｋｅＶ以下のコンプトン散乱線によるピークより、直接線による光電ピーク（５００ｋｅＶ超える領域におけるセシウム１３７等による光電ピーク）が高く検出される。
【００３３】
一方、図１４（Ｂ）のように、線源５００と検出器５２０との間に散乱体５１０が介在する場合、検出器５２０では、ガンマ線のうち、散乱体５１０により散乱されずに直接に到達する直接線ＲＤ１０よりも、散乱体５１０に衝突して散乱（コンプトン散乱）された散乱線ＲＤ２０がより多く検出され、この結果、ガンマ線のエネルギースペクトルをみると、５００ｋｅＶ以下のコンプトン散乱線によるピークの方が、直接線による光電ピークよりも高く検出される。
【００３４】
原子炉建屋のオペレーションフロアでの測定時や、原子力発電所の事故によってスカイシャイン線が生じる状況（建屋天井を通過して施設の外部に出た放射線が、上空の大気で散乱されて地上に向かう放射線が観測される状況）でのガンマ線のエネルギースペクトルは、図１４（Ｂ）に近いと考えられる。
【００３５】
図１５は、福島県の浪江町のフィールド試験で得られた、ガンマ線のエネルギースペクトルの一例を示している。コンプトン散乱線によるピークＰ１が、セシウム１３７による光電ピークＰ２やセシウム１３４による光電ピークＰ３、Ｐ４よりも高く検出されているのがわかる。
【００３６】
従来の放射線防護服は、緊急状態に陥っている原子力発電施設の作業員等が使用することを主目的に製造されており、放射線遮蔽率の高い鉛を用いているのが通常であったが、現実的な見地から考察すると、万一、原子力発電所の事故が発生した場合でも、地域住民や避難弱者が強烈な放射線にさらされる事態は、現実的には、皆無とはいえないまでも少ないと考えられ、むしろ、スカイシャイン線のような、比較的弱い放射線（ガンマ線のコンプトン散乱線等）を長時間あびることによる健康悪化を確実に阻止するような対策が重要となるものと考えられる。
【００３７】
つまり、放射線の散乱線から地域住民や避難弱者を効果的に保護する、着用が容易な放射線防護被服の開発は急務である。
【００３８】
本考案は、従来の放射線防護の概念を見直し、放射線の散乱線から地域住民や避難弱者を効果的に保護する、という点に特化して放射線防護被服の開発を行った結果として得られたものであり、従来製品にない種々の工夫がなされている。
【００３９】
以下、本考案の実施形態について図面を参照して説明する。
【００４０】
（第１の実施形態）
【００４１】
図１（Ａ）は、立体的断面を形成する前の放射線遮蔽シートを示す図である。放射線遮蔽シート３０は、基材１０と、基材１０の表面を覆うように設けられ、かつ金属粉２２が配合されてなる、放射線の遮蔽効果をもつコーティング膜２０と、を有している。コーティング膜２０は、塗布、吹き付け、含浸などで形成することができる。コーティング膜２０は、基材１０の表面を覆って密着固定されるのが好ましい。
【００４２】
基材１０としては、編物、織物、不織布、紙のうちのいずれかで構成される布帛、またはフィルム、またはシートを用いることができ、金属粉２２としては、タングステン、バリウム、鉛、ビスマス、アンチモン、希土類金属、ホウ素、カドミウムから選ばれた少なくとも１種の単体、またはその合金、またはその化合物、または前記単体を他の材料で被覆したものの粉を用いることができ、また、コーティング膜２０の主材としては、樹脂膜、または、シロキサン結合をもつ、あるいはアルコキシ基をもつシラン系化合物膜を用いることができる。但し、例示であり、これらに限定されるものではない。なお、コーティング膜の主材としての樹脂膜の「樹脂」には、天然樹脂、合成樹脂の双方が含まれるが、特に、可塑性をもつ合成樹脂が好ましい。
【００４３】
基材１０の材料を選ぶことによって、例えば、放射線遮蔽シートの厚み、柔軟性、コーティング膜２０との密着性等を調整することができる。また、金属粉２２の材料を選ぶことによって、放射線遮蔽効果や重量等を調整することができる。また、コーティング膜２０の主材を選ぶことによって、コーティング膜２０に撥水性を付与したり、基材１０との密着性を調整したり、金属粉２２の均一な分散を実現させたりすることができる。
【００４４】
より具体的には、基材１０として、単位面積当たりの重さが１００ｇ／ｍ２以下のポリエステル繊維やガラス繊維等からなる布帛を用いることができる。
【００４５】
また、ガンマ線のコンプトン散乱線を効果的に遮蔽することを考慮すると、金属粉２２として、金属タングステン粉を用いることができる。なお、本明細書において、「金属タングステン」というとき、純粋な「タングステン」の他、「タングステン合金（例えば、タングステンを主成分とし、バインダー層をニッケル、銅、鉄などで構成したもの等）」、「酸化タングステン等のタングステン化合物」、「タングステン粒子を他の材料で被覆したもの」を含むものとし、これらは、「タングステンを主体とする金属粉」と称することができる。金属粉２２の粒径は３μｍ〜１０μｍ（より好ましくは３．５μｍ）程度が好ましく、単位面積あたりの重さが８００ｇ〜１１００ｇ／ｍ２（より好ましくは、８００ｇ〜９５０ｇ／ｍ２）となるように配合されるのがよい。
【００４６】
なお、金属粉２２の配合重量の単位としてｇ／ｍ２を用いているが、これは、服地などは、サイズ（面積）がｍ２で表されることが多いことを考慮したものである。
【００４７】
基材１０の厚みＴ１は例えば０．１ｍｍ以下、コーティング膜の厚みＴ２は例えば０．４ｍｍ以下に設定される。この場合、全体の厚みが０．５ｍｍ以下となり、ごく薄の、ある程度の柔軟性をもつ放射線遮蔽シート３０を構築できる。
【００４８】
次に、図１（Ｂ）を参照する。本考案では、図１（Ａ）の平坦な形状のものは使用せず、図１（Ｂ）のような、凹凸を有する立体的な断面形状のものを使用する。
【００４９】
図１（Ｂ）のものは、山ひだと谷ひだが交互に繰り返される波形断面を有し、山ひだ、谷ひだの頂部に対応する先端部が丸みを帯びており、本明細書では、このタイプを「プリーツ型」、あるいは単に「プリーツ」と称する。
【００５０】
プリーツは、例えば、ポリエステルの基布（基材１０）に、金属タングステンが配合されたアルコキシシラン層（コーティング膜２０としてのシラン系化合物）を塗布し、重合させた後、熱を加えてローラで加圧処理をして、波形断面のプリーツひだを設けることで形成することができる。
【００５１】
放射線遮蔽シート３０をｎ枚（ｎは１以上の自然数）積層する（重ね合わせる）ことで、放射線遮蔽シート構造物３１が形成される。後述するが、放射線シート構造物３１は、表地層と裏地層との間に挟まれて、各部材を貫通して進行する糸で縫製され、これによって放射線防護被服が作成される。
【００５２】
図１（Ｃ）に、放射線遮蔽シート３０を立体的な断面をもつ形状とすることの効果を示す。図１（Ｃ）の左側に示されるように、放射線ＲＡ１が斜め上方から到来した場合、放射線遮蔽シート３０が図１（Ａ）のように平坦であれば、放射線ＲＡ１が放射線遮蔽シート３０を通過する回数は１回であるが、図１（Ｃ）のように立体的である場合には、例えば４回、通過することになる。図１（Ｃ）では、通過点をＣ１〜Ｃ４で示している。
【００５３】
この場合、図１（Ｃ）の中央に示されるように、到来した放射線ＲＡ２ａは、放射線遮蔽シート３０を通過する毎に吸収、散乱される。よって、放射線遮蔽シート３０による相互作用を受けた放射線ＲＡ２ｂ、ＲＡ２ｃ、ＲＡ２ｄは順次、弱くなり、人体に与える影響が低減される。このように、放射線遮蔽シート３０は、例えば１枚であっても、立体的な断面形状を有する構造とすることで、到来する放射線が通過する回数を約４倍に増やすことができ、その分、放射線を遮蔽する効果を高めることができる。
【００５４】
図２は、図１（Ｂ）に示される放射線遮蔽シート（プリーツ）の斜視図である。図示されるように、放射線遮蔽シート（プリーツ）３０は、Ｙ方向に直線状に延びる山ひだと谷ひだが、Ｙ方向に直交する方向であるＸ方向に沿って交互に繰り返されて波形の断面形状を有し、波形は、山ひだの頂部および谷ひだの頂部に相当する先端部分が丸みを帯びた波形となっている。
【００５５】
次に、図３（Ａ）、（Ｂ）を参照して、放射線遮蔽シート３０の積層の態様について説明する。例えば、放射線遮蔽シート３０を、２枚積層する場合（積層数ｎ＝２の場合）、原則的には、図３（Ａ）のように、放射線遮蔽シート３０ａ（基材１０ａと、コーティング膜２０ａとで構成される）と、放射線遮蔽シート３０ｂ（基材１０ｂと、コーティング膜２０ｂとで構成される）と、を密着させて積層する。但し、これに限定されるものではなく、必要に応じて、図３（Ｂ）のように、各放射線遮蔽シート３０ａ、３０ｂを立体的に積層することも可能である。図３（Ｂ）の構造を採用する場合、必要に応じて、図中、一点鎖線で囲んで示されるａ部分を接着することもできる。
【００５６】
積層数が増えるほど放射線遮蔽効果が向上し、一方で重量も増えることから、放射線遮蔽効果と重量との兼ね合いを考慮して積層数が決定される。放射線遮蔽シート３０の積層数ｎは、重量制限や厚みの制限等を考慮すると、現実には４以下が好ましい。
【００５７】
図３（Ａ）の構造は、厚みを薄くでき、また構造上の強度も高くすることができるという利点がある。一方、図３（Ｂ）の構造の場合は、各放射線シート３０ａ、３０ｂとの間に空間を設けることができ、例えば、断熱性を高める効果を得られるという利点がある。
【００５８】
次に、図４を参照して、スモッキング型の放射線遮蔽シートについて説明する。図４の放射線遮蔽シート３０では、縮んだ、熱収縮性の糸が縫い込まれ、または、縮んだ、パターニングされた熱収縮性のフィルムが貼付され、かつ全体的に縮緬状の凹凸が形成されている。このようなタイプの放射線遮蔽シートを、本明細書では、「スモッキング型」、または「スモッキング」と称する。このスモッキング型も、シートの断面は、山と谷が交互に繰り返される、先端が丸みを帯びた波形状の断面形状を有しており、例えば、図４（ｉｉｉ）に示されるものは、山と谷が一方向（例えば図２のＹ方向）に沿って延びている、とみることができる。
【００５９】
スモッキングは、表面に縮緬状の凹凸、つまり独特の縮緬模様が生じるため、あらゆる方向に伸縮する可能性が担保され、衣料のごわごわ感をより低減することができる。また、立体的構造であることには違いないため、図１（Ｃ）で説明した、放射線遮蔽効果の向上効果も得られる。
【００６０】
図４の上側に示される参照符号６００は、縮緬模様が生じている領域を示す。（ｉ）に示す例では、縮緬模様は、ひも状の立体的な部分６０２、６０３等が複雑に入り組んだ模様を呈している。（ｉｉ）に、ひも状の立体的な部分６０３の拡大断面を示す。このようなちりめん模様は、例えば、放射線遮蔽シート３０に、熱収縮性の糸で刺繍を施し、加熱して糸を収縮させ、放射線遮蔽シート３０（基材１０およびコーティング膜２０）を縮れさせる、あるいは、パターニングされた熱収縮性のフィルムを熱で収縮させることで、形成することができる。放射線遮蔽シート３０は、図４の上側に例示されるように、不規則な波が連なる立体的な形状となっている。
【００６１】
また、（ｉｉｉ）の例では、放射線遮蔽シート３０に、網目状（格子状）に熱収縮性の糸（例えば、熱収縮率が異なる糸）が縫い込まれ、熱処理によって糸を収縮させることによって、例えば（ｉｖ）に示されるような、豆腐状の立体的部分６０４を生じさせることができる。なお、縮緬状の凹凸の態様は、これらに限定されない。（ｉｉ）、（ｉｖ）からも明らかなように、本考案におけるちりめん模様は、上面（平らな上面、または、やや丸みを帯びた平面に近い上面）をもつため、生地との接触面積を増やすことができ、構造的に安定であり、また、あらゆる方向に安定して伸縮することが可能である。また、あらゆる方向から斜めに到来する放射線に対して立体的な断面を有することから、指向性をもたない放射線遮蔽効果を得ることもできる。
【００６２】
次に、放射線遮蔽被服の基本構造について説明する。図５（Ａ）は、放射線遮蔽被服（プリーツ型の放射線遮蔽シートを採用したもの）の縫製後の状態を示す図、（Ｂ）は、放射線遮蔽被服（スモッキング型の放射線遮蔽シートを採用したもの）の縫製後の状態を示す図である。
【００６３】
図５（Ａ）には、表地層８と裏地層１４との間に、凹凸を有する立体的な断面形状をもつ放射線遮蔽シート構造物３１を挟み込んで、各部材（８、１４、３１）を貫通して進行する糸４ａ、４ｂで縫製してなる放射線防護被服２が示されている。
【００６４】
図５（Ａ）では、放射線遮蔽シート構造物３１は、１枚の放射線遮蔽シート（プリーツ）３０で構成され、図５（Ｂ）では、放射線遮蔽シート構造物３１は、１枚の放射線遮蔽シート（スモッキング）３０で構成される。
【００６５】
上述のとおり、放射線遮蔽シート３０は薄く、ある程度の弾性を有することから、凹凸を有する立体的断面形状は、表地層８や裏地層１４に押し付けや引っ張り等の外力が働くと、これを吸収するべく変形することができ、衣料のごわごわ感が低減され、また、安定した構造強度も得られ、災害時等に生じがちな人体への衝撃、強い圧迫等から人体を効果的に保護する効果も期待できる。
【００６６】
放射線遮蔽シート３０のコーティング膜２０に含有される金属粉２２の粒径や総量を選ぶことで、裁縫に用いられる通常の糸４ａ、４ｂで、各部材を貫通して縫製することができ、糸で縫製した放射線防護被服（防護布、防護衣料、防護服、防護手袋、防護マフラー等）を容易に作成することができる。
【００６７】
図５（Ａ）のプリーツの場合、放射線遮蔽シート３０として、山と谷が交互に繰り返される波形（波状）の断面形状をもち、かつ波形の先端が丸みを帯びているものが採用される。
【００６８】
図５（Ａ）からもわかるように、表地層８、裏地層１４として比較的厚手の生地を選ぶと、平らな２枚の生地に、先端が丸みを帯びた波形（波状）の断面形状をもつ放射線遮蔽シート構造物３１が密着して挟まれることになる。この構造は、平らな２枚の厚紙（ライナー）で先端が丸い波形の断面をもつ中芯紙を挟んだ段ボールの構造とよく似ており（つまり、段ボール状の構造であり）、構造上の安定性に優れ、型崩れしににくく、圧迫等を吸収する効果も高い。また、図１（Ｃ）で説明した放射線遮蔽効果の向上効果も得られる。また、放射線遮蔽シート３０（放射線遮蔽シート構造物３１）の立体的断面の先端が丸みを帯びていることから、表地層８、裏地層１４を傷めることもない。
【００６９】
また、図５（Ｂ）のスモッキングの場合も、ある程度はダンボールに似た構造であり、機械的構造の安定性が得られ、かつ表面には、独特の縮緬模様が生じるため、あらゆる方向に伸縮する可能性が担保され、衣料のごわごわ感をより低減することができる。また、図１（Ｃ）で説明した放射線遮蔽効果の向上効果も得られる。
【００７０】
また、図５（Ａ）、（Ｂ）において、糸４ａ、４ｂによる網目は格子状となっている。これにより、横方向および縦方向の双方において、放射線遮蔽シート構造物３１がずれることがなく、型崩れしない。
【００７１】
ここで、図５（Ａ）のプリーツの場合、縦糸４ａは、放射線遮蔽シート３０の山および谷が直線状に延びる方向に沿って進行している。波形断面をもつ放射線遮蔽シート３０が横方向（山と谷が延びる方向に直交する方向）に変形したとしても、縦糸４ａによって、その変形は吸収されて型崩れは生じない。また、横糸４ｂによって、放射線遮蔽シート３０の縦方向（山と谷が延びる方向）へのずれ（滑り）が防止される。
【００７２】
また、図５（Ａ）、（Ｂ）において、表地層４ａと放射線遮蔽シート構造物３１と裏地層４ｂとを貫通して進行する糸４ａ、４ｂとして、光を反射する光反射糸（例えば、細くて強度に優れる撚糸タイプのもの）を使用することができる。
【００７３】
この場合、放射線防護被服２の表面に露出する糸は、光を反射することから、夜間における視認性が向上する。例えば、災害時において、夜間に住民が移動する場合に、放射線防護被服２（服、帽子、手袋、マフラー等）を身に着けていれば、交通事故が生じるおそれを低減することができ、また、夜間における人の視認性が向上する。
【００７４】
（第２の実施形態）
【００７５】
図７は、布状の放射線防護被服をガレージに適用して、放射線防護シェルターを構築した例を示す図である。
【００７６】
図７の例では、ガレージ１１の壁の内側に、放射線遮蔽材（放射線遮蔽布）としての放射線遮蔽被服２ａ〜２ｃが配置され、例えばテープ等を用いて壁に固定されている。なお、図７の例では、入口の上側に、先に説明した放射線遮蔽シート３０を用いて構成される、大型の巻き上げ式のカーテン９が設けられており、また、窓１３の内側に、放射線遮蔽シート３０からなるカーテン２１が配置されている。
【００７７】
このように、空間を有効に利用して、簡易の放射線遮蔽シェルターを構築することができる。
【００７８】
（第３の実施形態）
【００７９】
図８は、地域住民や避難弱者を対象とした放射線防護被服（ここでは放射線防護服）の着用状態を示す図である。図８には、大人用の放射線防護服７００、７３０と、子ども用の放射線防護服７１０、７２０とが示されている。
【００８０】
大人用の放射線防護服７００に着目する。この放射線防護服７００は、頭部（ＨＥ）を覆うフード（ＦＤ）を有し、かつ喉（ＴＲ）、胸（ＢＲ）、腹（ＳＴ）、局部（ＬＯ）を覆うジャケットタイプの服であり、好ましくは、総重量が２．６ｋｇ〜４．９ｋｇに設定される。前面には開閉具としてのファスナー７１０が設けられている。
【００８１】
なお、放射線防護服７００では、総重量を軽くするために、腕の部分には、放射線遮蔽機能を付与しておらず、一方、放射線防護服７３０では、腕の部分にも放射線遮蔽機能を付与している。
【００８２】
放射線防護服７００（７１０、７２０、７３０も同様）においては、先に説明した放射線シート構造物（プリーツまたはスモッキング）がｎ枚（ｎは１〜４の自然数）積層され、それらが、表地層（表面に見えている部分）と裏地層（裏面にあり見えない部分）との間に挟まれて、各部材を貫通して進行する糸８００で縫製されている。
【００８３】
放射線防護服７００（７１０、７２０、７３０）は、縫製が可能なように作られており、かつ重量も比較的軽いため、縫製強度を確保でき、かつよじれ等が生じることなく、安定的な縫製が可能である。
【００８４】
また、糸８００として、光を反射する光反射糸を用いることにより、着用者が夜間に外出する場合でも、自己の存在を周囲に効果的に知らせることができ、安全性等の確保が可能である。
【００８５】
なお、放射線防護服７００において、開閉具としてのファスナー７１０は、上下に延びる太い糸（糸８００よりも太い糸）９００により縫製され、強固に固定されている。また、小学生用の放射線防護服７１０、幼児用の放射線防護服７２０については、糸の記載を省略している。
【００８６】
小学生用の放射線防護服７１０は、フード付き、かつ喉、胸、腹、局部を覆うものであり、好ましくは、総重量は２ｋｇ〜３ｋｇに設定される。幼児用の放射線防護服７２０は、フード付き、かつ喉、胸、腹、局部を覆うものであり、好ましくは、総重量は１ｋｇ〜２．３ｋｇに設定される。
【００８７】
図９は、地域住民や避難弱者を対象とした放射線防護被服（ここでは放射線防護下着）の着用状態を示す図である。放射線防護下着７５０は、先に説明した放射線シート構造物（プリーツまたはスモッキング）がｎ枚（ｎは１〜４の自然数）積層され、それらが、表地層（表面に見えている部分）と裏地層（裏面にあり見えない部分）との間に挟まれて、各部材を貫通して進行する糸８００で縫製されている。
【００８８】
（試作の一例）
【００８９】
基材としてポリエステルの布帛を用い、金属粉として金属タングステン粉を用い、コーティング膜の主材としてシラン系化合物を用いて、放射線遮蔽シートを作成した。
【００９０】
金属タングステ粉は、基材であるポリエステル１ｍ２当たり９００〜１１００ｇになるように配合した。
【００９１】
コーティング膜の主材であるシロキサン結合をもつシラン系化合物として、図６（Ａ）に示される立体的構造をもつ化合物を使用した。なお、上記化合物中、ＲはＨまたはＣｎＨ２ｎ+１である。
【００９２】
また、コーティング膜の主材であるアルコキシ基をもつシラン系化合物膜として、図６（Ｂ）に示される２官能アルコキシシラン膜、または、図６（Ｃ）に示される３官能アルコキシシラン膜を使用した。
【００９３】
図６（Ａ）〜（Ｃ）のシラン系化合物は、構造に自由度が与えられるため、しなやかになり、また、表面にＲを形成することで撥水性を発揮させることができる。よって、放射線遮蔽シートに撥水性（防水性）を付与することができる。よって、雨等に強い被服を実現することができる。また、図６（Ａ）〜（Ｃ）の化合物のポリマーは、立体的な構造をもつことから、金属の微粒子は、シロキサンやアルコキシシランから構成されるポリマーの立体的な分子間隙に配合されて均一に分散され、膜の全体に放射線遮蔽のためのバリアが形成され、放射線遮蔽効果が向上するという効果も得られる。
【００９４】
また、金属タングステン粉の粒径は３μｍ〜１０μｍが好ましく、実験では３．５μｍとした。この粒径の金属タングステン微粒子は、コンプトン散乱線の吸収効果が大きく、また、図６（Ａ）〜（Ｃ）に示される化合物のポリマー（立体的な構造をもつ）の分子間隙に配合されて均一に分散され、放射線遮蔽効果を発揮する。
【００９５】
なお、金属タングステンが配合されたアルコキシシラン膜等の、基材（ポリエステルの基布）に設ける方法はとしては、例えば、塗付、吹きかけを採用することができる。
【００９６】
スモッキングを作成するために、ポリエステルの基材に、上記のアルコキシシラン膜等（あるいは、アクリル樹脂と金属タングステンを混合したもの）を塗布し、熱収縮性糸を縫い込み、加熱して収縮させ、縮緬（ちりめん）加工を施した。
【００９７】
また、プリーツを作成するために、ポリエステルの基材に、上記のアルコキシシラン膜等を塗布し、重合させた後、熱を加えローラで加圧処理をし、長手方向にプリーツひだを形成させた。そうすることで全体的にプリーツ加工を施すことができた。
【００９８】
放射線遮蔽シートは、金属タングステンを含んでいるためガンマ線およびエックス線の遮蔽効果を発揮し、特に、これらの散乱線に対しては、かなり高い遮蔽機能が得られる。
【００９９】
（実験例）
【０１００】
次に、図１０〜図１３を参照して、本考案において使用されている放射線遮蔽シート（放射線遮蔽シート構造物）の放射線遮蔽効果についての実験結果例を説明する。
【０１０１】
この実験は、国立研究開発法人量子科学技術研究開発機構、量子ビーム科学研究部門、高崎量子応用研究所にて行われた。放射線の直接線、散乱線の測定のための機器配置は、概ね図１３に示すようなものである。
【０１０２】
コバルト６０の線源３００を所定位置に配置し、線源の中心線（の延長線）に沿って７ｍ離れた位置に直接線測定器３１０を配置した。また、直接線測定器３１０から右に９０度曲折して直線的に２．８ｍ離れた位置に散乱線測定器３２０を配置した。
【０１０３】
図１０は、本考案で使用される放射線遮蔽シート（プリーツまたはスモッキング）の、ガンマ線の散乱線に対する遮蔽率の測定結果（線量計で測定）の一例を示す図である。線量計として富士電機製の線量計を使用した。線源から照射されるガンマ線のエネルギー量は５００ｋｅＶ以下になるように調整した。また、図１３の散乱線測定器３２０におけるガンマ線の強度が１ｍＧｙ（１ミリグレイ）となるようにして、２０分間にわたってガンマ線を放射線遮蔽シート（プリーツ、スモッキングの各々）に照射した。
【０１０４】
放射線遮蔽シートの枚数（積層数）ｎは１〜４であり、ｎ＝１のときは散乱線遮蔽率は９％、ｎ＝２のときは１８％、ｎ＝３のときは２５％、ｎ＝４のときは３０％という結果が得られた。この実験では、プリーツとスモッキングの差異は確認されなかった。
【０１０５】
図１１は、本考案で使用される放射線遮蔽シート（プリーツまたはスモッキング）の、ガンマ線の直接線に対する遮蔽率の測定結果（線量計で測定）の一例を示す図である。線量計として富士電機製の線量計を使用した。また、図１３の直接線測定器３１０におけるガンマ線の強度が１０ｍＧｙ（１０ミリグレイ）となるようにして、１５２秒にわたってガンマ線を放射線遮蔽シート（プリーツ、スモッキングの各々）に照射した。
【０１０６】
放射線遮蔽シートの枚数（積層数）ｎは１〜４であり、ｎ＝１のときは直接線遮蔽率は２％、ｎ＝２のときは１％、ｎ＝３のときは４％、ｎ＝４のときは５％という結果が得られた。この実験では、プリーツとスモッキングの差異は確認されなかった。
【０１０７】
図１２は、本考案で使用される放射線遮蔽シート（プリーツまたはスモッキング）の、放射線の遮蔽率の測定結果（ＮａＩシンチレーションスペクトルメータで測定）の一例を示す図である。
【０１０８】
ＮａＩシンチレーションスペクトルメータは、図１３の散乱線測定器３２０の位置に床置きで配置した。線源が強力であるため、可能な限り弱い放射線を照射するために、線源を上下（移動）させて条件だしを行っている。照射する放射線の強度が最小となるタイミングの直前の測定結果である。
【０１０９】
図１３の散乱線測定器３２０の位置における放射線強度が１．３ｍＧｙ（１．３ミリグレイ）となるように調整した。照射時間は、１秒（＋線源上下時間）である。
【０１１０】
バックグランドのカウント値は３７６７であり、照射後のカウント値（遮蔽無し）は１００６５５であり、放射線遮蔽シート（スモッキング、４枚重ね）による遮蔽後のカウント値は４２００４となり、遮蔽率は６０．５％となった。この実験では、プリーツとスモッキングの差異は確認されなかった。
【産業上の利用可能性】
【０１１１】
本考案は、原子力発電所が立地する地域の住民や避難弱者（幼児、子ども、婦人、老齢者、要介護者等）が着用可能な、ガンマ線のコンプトン散乱線渡等を効果的に遮蔽する放射線防護被服（防護布、防護衣料、防護服、防護コート、防護手袋、防護マフラー、防護靴下等）、および放射線遮蔽シートとして有用である。本考案によれば、地域住民や避難弱者の着用時の負担を軽減することができ、重すぎず、デザイン性にも優れた、着る者に優しい放射線防護被服が実現される。
【符号の説明】
【０１１２】
１０  基材
２０  コーティング膜
２２  金属粉
３０  放射線遮蔽シート
３１  放射線遮蔽シート構造物
【図１】
0003206558.tif 000009
【図２】
0003206558.tif 000010
【図３】
0003206558.tif 000011
【図４】
0003206558.tif 000012
【図５】
0003206558.tif 000013
【図６】
0003206558.tif 000014
【図７】
0003206558.tif 000015
【図８】
0003206558.tif 000016
【図９】
0003206558.tif 000017
【図１０】
0003206558.tif 000018
【図１１】
0003206558.tif 000019
【図１２】
0003206558.tif 000020
【図１３】
0003206558.tif 000021
【図１４】
0003206558.tif 000022
【図１５】
0003206558.tif 000023